【手続補正書】
【提出日】平成18年10月19日(2006.10.19)
【手続補正１】
【補正対象書類名】明細書
【補正対象項目名】特許請求の範囲
【補正方法】変更
【補正の内容】
【特許請求の範囲】
【請求項１】
データを磁気媒体に記録する方法であって、
データパケットをデータバッファの或る場所に受け入れること、ここで前記データパケットは、前記データバッファ中に存在するデータのセグメントにおける当該データパケットの位置を固有に識別する関連ローカルパケットアドレス（ＬＰＡ）を有し、前記セグメントは、記録されるべきデータのセグメントの順次位置を固有に識別する関連グローバルセグメントアドレスを有するものであり；
前記データパケット及び前記ローカルパケットアドレスをトラックパケットにフォーマットすること；
前記トラックパケットを前記磁気媒体に記録すること；
前記記録されたトラックパケットを前記記憶媒体から回復すること；
前記グローバルセグメントアドレスと関連したデータパケットを含む１又は複数のトラックパケットの近傍で前記磁気媒体上に前記グローバルセグメントアドレスを周期的に記録すること；
前記記録されたグローバルセグメントアドレスを前記記憶媒体から回復すること；
前記回復されたトラックパケットについて書込み後チェックの検査を実行すること；及び
前記トラックパケットが前記書込み後チェックの検査ではねられた場合には、パケットレベルで、前記トラックパケットを後のトラックに沿って任意の順序で再記録すること
を含むことを特徴とする方法。
【請求項２】
データを記憶媒体上に書込む方法であって、
一群のユーザデータを受け取ること；
前記ユーザデータ群にエラー検出コードをかけること；
前記ユーザデータ群と前記関連したエラー検出コードをデータパケットの形式にフォーマットすること；
前記データパケットをトラックパケットにフォーマットすること；
前記トラックパケットを他のいくつかのトラックパケットと共に記憶媒体に記録すること；
前記新たに記録されたトラックパケットを前記記憶媒体上の前記トラックから回復すること；
前記新たに記録されたトラックパケットが前記トラックパケットと一致するか判断すること；及び
前記新たに記録されたトラックパケットが前記トラックパケットと一致しない場合には、前記トラックパケットを新しいトラックにもう一度記録すること
を含む方法。
【請求項３】
請求項２記載の方法において、前記トラックパケットが無事に前記記憶媒体に記録されるまで前前記回復ステップから前記再記録ステップまでを繰り返すことを含む方法。
【請求項４】
書き換えられたトラックパケットを記憶媒体から回復する方法であって、
前記記憶媒体の記録済みトラックからトラックパケットを回復すること；
前記トラックパケットからパケットアドレスフィールドを抽出すること；
前記トラックアドレスフィールドを使って、前記データバッファ内の前記データパケットの位置を確定すること；
前記データパケットがエラーを含んでいるか判断すること；
前記データパケットがエラーを含んでいない場合には、前記確定された位置にある前記データバッファに前記データパケットを配置すること；及び
同一のパケットアドレスフィールドを含んでいる再書込みトラックパケットが前記データバッファに置かれるまで、前記回復ステップから前記配置ステップまでを繰り返すことを含む方法。
【請求項５】
一群のユーザデータを受信するデータ入力手段；
前記ユーザデータ群にエラー検出コードを生成するエラー検出コード発生器；
前記ユーザデータ群とこれに関連した前記エラー検出コードとをデータパケットにフォーマットするデータパケットフォーマッタ；
前記データパケットをトラックパケットにフォーマットするトラックフォーマッタ；
前記トラックパケットを他のいくつかのトラックパケットと共に記憶媒体に記録するための書込みチャネル；
前記新たに記録されたトラックパケットを前記記憶媒体上の前記トラックから回復するための読み取りチャネル；及び
前記新たに記録されたトラックパケットが書込み後チェックの検査に合格するかを判断し、前記新たに記録されたトラックパケットが前記トラックパケットと一致しない場合には前記トラックパケットを後のトラックに再記録されるようにする書込み後チェック・プロセッサ
を備えることを特徴とするデータ記録／回復装置。
【請求項６】
請求項５記載のデータ記録／回復装置において、
前記データパケットを前記トラックパケットから抽出するトラックパケットデフォーマッタ；及び
前記抽出されたデータパケットがエラーを含んでいる場合には、前記抽出済みデータパケットにエラー訂正を遂行するエラー訂正プロセッサ
を備えるデータ記録／回復装置。
【請求項７】
請求項６記載のデータ記録／回復装置において、
前記データパケットから前記ユーザデータ群と前記関連するエラー検出コードとを抽出するデータパケットデフォーマッタ；
前記ユーザデータ群内の誤りを検出するために、前記ユーザデータ群と関連した前記エラー検出コードを使用するエラー検出コード発生器；及び
前記ユーザデータ群が誤りを含んでいない場合に前記ユーザデータ群を出力するデータ出力手段
を備えるデータ記録／回復装置。
【請求項８】
データ記録／回復装置によって回復可能なデータを保存するための磁気記憶媒体であって、
前記データ記録／回復装置は、一群のユーザデータを受信するデータ入力手段、前記ユーザデータ群にエラー検出コードを生成するエラー検出コード発生器、前記ユーザデータ群とこれに関連するエラー検出コードとをデータパケットにフォーマットするデータパケットフォーマッタ、前記データパケットを一時的に保存するためのデータバッファ、前記データパケットをトラックパケットにフォーマットするトラックフォーマッタ、前記記憶媒体上のトラックに沿って前記トラックパケットを他の複数のトラックパケットと共に記憶するための書込みチャネル、前記新しく記録されたトラックパケットを前記記憶媒体上の前記トラックから回復するための読み取りチャネル、及び前記新しく記録されたトラックパケットが書込み後チェックの検査に合格するか判断し、前記新しく記録されたトラックパケットが前記トラックパケットと一致しない場合にはトラックパケットが後のトラックに再記録されるようにする書込み後チェックプロセッサを具備するものであり、
複数のトラックパケットを備えて構成され、各トラックパケットに、前記データバッファ中の前記トラックパケットにおける正確な位置を決定するために用いられるパケットアドレスを含んでいるトラックを備えることを特徴とする磁気記憶媒体。
【請求項９】
データを磁気媒体から回復する方法であって、
前記磁気媒体からトラックパケットを回復すること；
データパケット及び関連したローカルパケットアドレスを前記トラックパケットから抽出すること、ここで前記ローカルパケットアドレスは、前記データファ中に作られるデータセグメントにおける前記データパケットの位置を固有に識別するものであり；
前記磁気媒体から前記データパケットと関連したグローバルセグメントアドレスを回復すること；
前記ローカルパケットアドレス及び前記グローバルセグメントアドレスを使って、前記データバッファから前記データパケットの位置を確定すること；
前記のデータパケットがエラーを含んでいるかどうかを判断すること；及び
前記のデータパケットがエラーを含んでいない場合には、前記確定した位置で前記データバッファに前記データパケットを配置すること
を含むことを特徴とする方法。
【請求項１０】
磁気媒体から、記録されたトラックパケット及び関連したグローバルセグメントアドレスを回復するための読み込みチャネル；
前記回復されたトラックパケットからデータパケット及び関連したローカルパケットアドレス（ＬＰＡ）を抽出するトラックパケットデフォーマッタ、ここで前記ＬＰＡ及び前記関連したグローバルセグメントアドレスは、データバッファのセグメントにおける前記データパケットの位置を固有に識別するものであり；
前記新しく記録されたトラックパケットが書込み後チェック検査に合格するかどうかを見極め、前記新しく記録されたトラックパケットが書込み後チェック検査に合格しない場合には、前記トラックパケットがパケットレベルで且つ任意の順序で後のトラックに再記録されるようにする書込み後チェック・プロセッサ
を備えることを特徴とする磁器テープドライブ。
【請求項１１】
データパケットと、データのセグメントにおける前記データパケットの順次位置を固有に識別する、関連したローカルパケットアドレス（ＬＰＡ）とを、それぞれ有する複数のトラックパケット；
前記複数のトラックパケットと関連したグローバルセグメントアドレスであって、前記複数のトラックパケットの近くに記録されたもの；及び
前記複数のトラックパケットの１つに既に記録済みのデータパケットと、前記データのセグメントに属している前記複数のトラックパケットの各々の後、パケットレベル及び任意の順序で記録される、前記記録済みのデータパケットと関連したＬＰＡとを備えて構成される書換えトラックパケット
を備えることを特徴とする磁気記憶媒体。